(57)【要約】【課題】開発効率および製造品質を向上し、製品の開発リードタイムを短縮することを可能とする開発プロセス情報管理システムを提供する。【解決手段】開発プロセスにおける要素単位である製造工程および部品に関する情報を、コンピュータネットワークに接続されたデータベースサーバにより一元的に管理する開発プロセス情報管理システムにより、各種仕様情報と故障モード予測情報とを製造工程番号または部品番号を介して関連付けて、データベースサーバによりデータベース管理する。【選択図】      図１
2004227182.tif 000002
【特許請求の範囲】
【請求項１】
開発プロセスにおける要素単位である製造工程および部品に関する情報を、コンピュータネットワークに接続されたデータベースサーバにより一元的に管理する開発プロセス情報管理システムであって、
それぞれの製造工程について作成される製造仕様情報、検査仕様情報、および、作業指示仕様情報と、それぞれの部品について作成される設計仕様情報、および、材料仕様情報を、各種仕様情報として、データベースに登録する各種仕様情報登録手段と、
製造工程情報のそれぞれに製造工程番号を、部品情報のそれぞれに部品番号を割り付け、これらの製造工程番号および部品番号と仕様情報登録手段で登録された各種仕様情報とを関連付け、データベースに登録する番号登録手段と、
製造工程および部品に対して個別に実施される故障モード予測に関する情報である故障モード予測情報を、対応する製造工程番号および部品番号を関連付け、データベースに登録する故障モード予測情報登録手段と、
各種仕様情報と故障モード予測情報とを製造工程番号または部品番号を介して関連付けて、データベースサーバによりデータベース管理する情報管理手段とを備えることを特徴とする開発プロセス情報管理システム。
【請求項２】
故障モード予測情報が、不良の種類に関する不良モード情報、不良が発生する理由に関する理由情報、不良に対する対策案に関する対策案情報、および、不良に対して実施された対策に関する対策情報を少なくとも含んでおり、データベースサーバが、不良モード情報を検索キーワードとして、検索キーワードに関連する製造工程または部品と製造工程番号または部品番号により関連付けられた各種仕様情報または故障モード予測情報を検索する情報検索手段を備えることを特徴とする請求項１記載の開発プロセス情報管理システム。
【請求項３】
登録された各種仕様情報および故障モード予測情報の全てを履歴情報としてデータベースに登録する履歴情報登録手段を備え、情報検索手段において、検索キーワードに関連する製造工程または部品と製造工程番号または部品番号により関連付けられた各種仕様情報または故障モード予測情報を、履歴情報の中からも検索できるようにしたことを特徴とする請求項２記載の開発プロセス情報管理システム。
【請求項４】
データベースサーバにコンピュータネットワークを介して接続されたクライアントコンピュータにより、検索キーワードの入力、および、情報検索手段における検索結果の出力を行うことを特徴とする請求項２または３の開発プロセス情報管理システム。
【発明の詳細な説明】
【０００１】
【発明の属する技術分野】
本発明は、開発プロセス情報管理システムに関するものである。さらに詳しくは、本発明は、製品の開発プロセスを一貫管理するための開発プロセス情報管理システムに関するものである。
【０００２】
【従来の技術】
近年、半導体や液晶、電池、コンデンサなどに代表されるなどの電子デバイスは、セット商品の一層の短サイクル・短命化により、開発期間の更なる短縮化が求められている。一般にデバイス事業の製品の開発において、各工程、または、各部品単位に、設計、試作、および、評価が繰り返され、製品設計仕様（部品仕様）および工程仕様が決定していく。この試作および評価の精度により、設計完成度が左右される。
【０００３】
公知の開発情報を管理するためシステムとして、ＰＤＭ（ＰｒｏｄｕｃｔＤａｔａＭａｎａｇｅｍｅｎｔ：製品情報管理）システムがあるが、ワークフローに沿った製品の部品構成表や図面などの成果物管理であり、設計完成度は開発技術者のノウハウによるところが大きかった（特許文献１参照）。
【０００４】
図４に、従来技術の構成を示す。定義したワークフロー（４５）が情報管理サーバ（４１）の製造情報格納部（４２）に登録されている。製造情報格納部（４２）に登録されたワークフロー（４５）のステップ毎に登録すべきドキュメントがあらかじめ定義されている。開発ステップ終了時に、必要となるドキュメントが、インターネット（４３）を介して情報管理サーバ（４１）に接続された端末（４４）から登録され、ドキュメントの有無により開発進捗情報をマネジメントするシステムである。
【０００５】
【特許文献１】
特開２００１−７６０４４（２−３頁、図１）
【０００６】
【発明が解決しようとする課題】
しかし、上記の従来技術においては、設計完成度は開発技術者の勘と経験によるところが大きく、設計品質まではマネジメントできなかった。また、最終的に決定された仕様は参照可能であるが、その決定がなされた根拠が不明であった。また、完成度も開発技術者のノウハウによるところが大きく、量産試作段階や量産における品質の作りこみ不足で後戻りが発生する可能性が高く、開発期間の長期化の一要因となっていた。また、仕様の決定履歴が残ってないことにより、人的資源の入れ替わりにより、仕様が不明となることが多々あり、例えば、無駄な検査項目などが残ってしまうことなどが、開発効率および製造品質の両面より問題となっている。
【０００７】
そこで、本発明は、開発効率および製造品質を向上し、製品の開発リードタイムを短縮することを可能とする開発プロセス情報管理システムを提供することを目的としたものである。
【０００８】
【課題を解決するための手段】
上記の課題を解決するものとして、開発プロセス情報管理システムは、開発プロセスにおける要素単位である製造工程および部品に関する情報を、コンピュータネットワークに接続されたデータベースサーバにより一元的に管理する開発プロセス情報管理システムであって、それぞれの製造工程について作成される製造仕様情報、検査仕様情報、および、作業指示仕様情報と、それぞれの部品について作成される設計仕様情報、および、材料仕様情報を、各種仕様情報として、データベースに登録する各種仕様情報登録手段と、製造工程情報のそれぞれに製造工程番号を、部品情報のそれぞれに部品番号を割り付け、これらの製造工程番号および部品番号と仕様情報登録手段で登録された各種仕様情報とを関連付け、データベースに登録する番号登録手段と、製造工程および部品に対して個別に実施される故障モード予測に関する情報である故障モード予測情報を、対応する製造工程番号および部品番号を関連付け、データベースに登録する故障モード予測情報登録手段と、各種仕様情報と故障モード予測情報とを製造工程番号または部品番号を介して関連付けて、データベースサーバによりデータベース管理する情報管理手段とを備えるようにしたものである。
【０００９】
この本発明によれば、開発効率および製造品質を向上し、製品の開発リードタイムを短縮することを可能とする開発プロセス情報管理システムが得られる。
【００１０】
【発明の実施の形態】
本発明の請求項１に記載の発明は、開発プロセスにおける要素単位である製造工程および部品に関する情報を、コンピュータネットワークに接続されたデータベースサーバにより一元的に管理する開発プロセス情報管理システムであって、それぞれの製造工程について作成される製造仕様情報、検査仕様情報、および、作業指示仕様情報と、それぞれの部品について作成される設計仕様情報、および、材料仕様情報を、各種仕様情報として、データベースに登録する各種仕様情報登録手段と、製造工程情報のそれぞれに製造工程番号を、部品情報のそれぞれに部品番号を割り付け、これらの製造工程番号および部品番号と仕様情報登録手段で登録された各種仕様情報とを関連付け、データベースに登録する番号登録手段と、製造工程および部品に対して個別に実施される故障モード予測に関する情報である故障モード予測情報を、対応する製造工程番号および部品番号を関連付け、データベースに登録する故障モード予測情報登録手段と、各種仕様情報と故障モード予測情報とを製造工程番号または部品番号を介して関連付けて、データベースサーバによりデータベース管理する情報管理手段とを備えることを特徴としたもので、開発効率および製造品質を向上し、製品の開発リードタイムを短縮することが可能となる作用を有する。
【００１１】
さらに、本発明の請求項２に記載の発明は、故障モード予測情報が、不良の種類に関する不良モード情報、不良が発生する理由に関する理由情報、不良に対する対策案に関する対策案情報、および、不良に対して実施された対策に関する対策情報を少なくとも含んでおり、データベースサーバが、不良モード情報を検索キーワードとして、検索キーワードに関連する製造工程または部品と製造工程番号または部品番号により関連付けられた各種仕様情報または故障モード予測情報を検索する情報検索手段を備えることを特徴としたもので、発生した不良に対する想定した対策および現状の対策（仕様）を瞬時に把握可能となり、また、現状仕様および仕様変更の判断など品質向上のアクションを早めることが可能となる作用を有する。
【００１２】
さらに、本発明の請求項３に記載の発明は、登録された各種仕様情報および故障モード予測情報の全てを履歴情報としてデータベースに登録する履歴情報登録手段を備え、情報検索手段において、検索キーワードに関連する製造工程または部品と製造工程番号または部品番号により関連付けられた各種仕様情報または故障モード予測情報を、履歴情報の中からも検索できるようにしたことを特徴としたもので、いつ、誰が、なぜ、どのようにして、仕様を変更してきたかが瞬時に把握でき、人的資源の入れ替わりにより、不明な検査仕様などが発生することがなくなり、製品品質および開発効率の両面より最適な仕様を維持することが可能となる作用を有する。
【００１３】
さらに、本発明の請求項４に記載の発明は、データベースサーバにコンピュータネットワークを介して接続されたクライアントコンピュータにより、検索キーワードの入力、および、情報検索手段における検索結果の出力を行うことを特徴としたもので、設計完成度に関する情報の共有化により効率的な開発プロセスを行うことが可能となる作用を有する。
【００１４】
【実施の形態】
開発プロセスにおいては、開発要素単位として製造工程および部品が設定される。各製造工程においては製造仕様、検査仕様、および、作業指示が、また、各部品においては設計仕様、および、材料仕様が決定される。この決定を行う過程より、製品の作り込みがなされることとなる。製品の作り込みにおいては、故障モード予測（ＦＭＥＡ：Ｆａｉｌｕｒｅ  Ｍｏｄｅ  ａｎｄ  Ｅｆｆｅｃｔｓ  Ａｎａｌｙｓｉｓ）が実施される。つまり、このＦＭＥＡにおける情報が設計品質完成度の目安ともなる。
【００１５】
そこで、本発明の開発プロセス情報管理システムにおいては、決定された各仕様書に関する情報（各種仕様情報）を製造工程および部品に関連付けて登録するとともに、故障モード予測に関する情報（ＦＭＥＡ情報）も各製造工程および部品に関連付けて登録する。そして、データベースサーバにネットワーク接続されてあるクライアントコンピュータから、各種仕様情報とＦＭＥＡ情報とを関連づけて検索することを可能とするものである。
【００１６】
具体的には、本発明の開発プロセス情報管理システムは、開発プロセスにおける要素単位である製造工程および部品に関する情報を、コンピュータネットワークに接続されたデータベースサーバにより一元的に管理するものであり、  それぞれの製造工程について作成される製造仕様情報、検査仕様情報、および、作業指示仕様情報と、それぞれの部品について作成される設計仕様情報、および、材料仕様情報を、各種仕様情報として、データベースに登録する各種仕様情報登録手段と、製造工程情報のそれぞれに製造工程番号を、また、部品情報のそれぞれに部品番号を割り付け、これらの製造工程番号および部品番号と仕様情報登録手段で登録された各種仕様情報とを関連付け、データベースに登録する番号登録手段と、製造工程および部品に対して個別に実施される故障モード予測に関する情報である故障モード予測情報を、対応する製造工程番号および部品番号を関連付け、データベースに登録する故障モード予測情報登録手段と、各種仕様情報と故障モード予測情報とを製造工程番号または部品番号を介して関連付けて、データベースサーバによりデータベース管理する情報管理手段とを備えている。
【００１７】
故障モード予測情報は、不良の種類に関する不良モード情報、不良が発生する理由に関する理由情報、不良に対する対策案に関する対策案情報、および、不良に対して実施された対策に関する対策情報を少なくとも含んでいる。
【００１８】
また、本発明の開発プロセス情報管理システムにおいては、データベースサーバが、不良モード情報を検索キーワードとして、検索キーワードに関連する製造工程または部品と製造工程番号または部品番号により関連付けられた各種仕様情報または故障モード予測情報を検索する情報検索手段を備えている。また、データベースサーバは、登録された各種仕様情報および故障モード予測情報の全てを履歴情報としてデータベースに登録する履歴情報登録手段を備えており、情報検索手段において、検索キーワードに関連する製造工程または部品と製造工程番号または部品番号により関連付けられた各種仕様情報または故障モード予測情報を、履歴情報の中からも検索できる。
【００１９】
データベースサーバには、クライアントコンピュータがコンピュータネットワークを介して接続されており、クライアントコンピュータにより、検索キーワードの入力、および、情報検索手段における検索結果の出力が行われる。
【００２０】
本発明の開発プロセス情報管理システムによれば、データベースサーバで仕様情報を一括管理するだけでなく、設計品質完成度の目安であるＦＭＥＡ情報を関連付けて管理するため、決定仕様と設計完成度とを統合したコラボレーションが可能となり、コンピュータネットワークを介した各種仕様情報およびＦＭＥＡ情報の共有化により、開発リードタイムを大きく短縮することが可能となる。
【００２１】
【実施例】
実施例１
図１に、本発明の開発プロセス情報管理システムの全体構成について示す。本発明の開発プロセス情報管理システムは、データベースサーバ（１）、データベース（２）、および、クライアントコンピュータ（４）により構成されており、これらはコンピュータネットワーク（３）により接続されている。
【００２２】
クライアントコンピュータ（４）により、開発対象となる商品の部品情報および製造工程情報が登録される。データベース（２）においてこのとき、各製造工程および各部品においては、ユニークとなる番号工程番号（５）および部品番号（６）が割り付けられる。
【００２３】
開発プロセスにおいて、各製造工程、各部品に対して、故障または不良を予測し、これらに対する対策を実施することにより、仕様を決定するＦＭＥＡが実施される。このＦＭＥＡにより設計完成度を高めることが可能となり、さらには、決定した仕様の裏付けデータとなり、いつ誰がなぜどこでどのようにして決定したのかが明確となる。
【００２４】
本発明の開発プロセス情報管理システムにおいては、ＦＭＥＡ情報（８）が、ＦＭＥＡ情報に対応する部品の部品番号（６）、または、製造工程の製造工程番号（５）に関連付けられてデータベースに登録される。そして、すべての仕様が決定した際に、製造工程に関しては、製造仕様書、検査仕様書、および、作業指示書、また、部品に関しては、設計仕様書、および、材料仕様書が作成される。これらの各種仕様書は、各種仕様情報（７）として、それぞれを構成する部品の部品番号（６）、または、製造工程の製造工程番号（５）に関連付けられてデータベースに登録される。
【００２５】
データベースサーバにおいては、製造工程番号（５）および部品番号（６）を介して、データベース（２）に登録されたＦＭＥＡ情報（８）および各種仕様情報（７）が、一括管理される。
【００２６】
以上のように、開発要素単位である製造工程および部品に対し、管理番号である製造工程番号および部品番号を割り付け、これらの製造工程番号および部品番号を介して各種仕様情報（７）およびＦＭＥＡ情報（８）を関連付けて管理することにより、設計完成度が瞬時に把握でき、設計完成度情報のコラボレーションが可能となる。
実施例２
図２に示すとおり、本発明の開発プロセス情報管理システムにおいては、不良モード情報をキーワードとして、クライアントコンピュータ（２４）により入力することにより、その不良モード情報に関連する各種仕様情報（２７）およびＦＭＥＡ情報（２８）を参照することが可能である。
【００２７】
データベースサーバ（２１）により管理されるデータベース（２２）においては、各製造工程および各部品に対して品質向上のために検討した結果であるＦＭＥＡ情報（２８）が保持されており、このＦＭＥＡ情報（２８）が含有する不良モードを検索キーワードとすることで、製造工程番号（２５）および部品番号（２６）をキーとして、その不良モードに関連する各種仕様情報（２７）およびＦＭＥＡ情報（２８）を参照することが検索することが可能である。
【００２８】
以上のように、不良モード情報をキーワードとして、関連する仕様情報（２７）およびＦＭＥＡ情報（２８）が検索されることにより、発生した不良に対する想定した対策および現状の対策（仕様）を瞬時に把握可能となり、また、現状仕様および仕様変更の判断など品質向上のアクションを早めることが可能となる。実施例３
図３に示すように、本発明の開発プロセス情報管理システムにおいては、工程番号（３５）および部品番号（３６）に対して関連付けられてデータベースに登録されている仕様情報（３７）およびＦＭＥＡ情報（３８）のすべてを履歴情報として保管し、仕様が決定されるまでの過程を参照することが可能である。
【００２９】
データベースサーバ（３１）により管理されるデータベース（３２）においては、製造工程および部品に個別に設定された各種仕様情報（３７）と、製造工程および部品に個別に設定されるＦＭＥＡ情報（３８）を保持しており、これらの情報は登録の度に更新されていく。これら情報の履歴を、履歴情報（３９）として保管および管理することにより、不良モード情報をキーワードとして、関連する仕様情報（３７）およびＦＭＥＡ情報（３８）を履歴情報（３９）の中から検索する。
【００３０】
以上のように、履歴情報（３９）を用いることにより、いつ、誰が、なぜ、どのようにして、仕様を変更してきたかが瞬時に把握でき、人的資源の入れ替わりにより、不明な検査仕様などが発生することがなくなり、製品品質および開発効率の両面より最適な仕様を維持することが可能となる。
【００３１】
【発明の効果】
以上詳しく説明したとおり、本発明によれば、開発効率および製造品質を向上し、製品の開発リードタイムを短縮することを可能とする開発プロセス情報管理システムが提供される。
【００３２】
本発明の開発プロセス情報管理システムによれば、データベースサーバで仕様情報を一括管理するだけでなく、設計品質完成度の目安であるＦＭＥＡ情報を関連付けて管理するため、決定仕様と設計完成度とを統合したコラボレーションが可能となり、コンピュータネットワークを介した各種仕様情報およびＦＭＥＡ情報の共有化により、開発リードタイムを大きく短縮することが可能となる。
【図面の簡単な説明】
【図１】本発明の開発プロセス情報管理システムの構成について示した概要図である。
【図２】本発明の開発プロセス情報管理システムの構成について示した概要図である。
【図３】本発明の開発プロセス情報管理システムの構成について示した概要図である。
【図４】従来技術の開発プロセス情報管理システムの構成について示した概要図である。
【符号の説明】
１  データベースサーバ
２  データベース
３  コンピュータネットワーク
４  クライアントコンピュータ
５  番号工程番号
６  部品番号
７  各種仕様情報
８  ＦＭＥＡ情報
２１  データベースサーバ
２２  データベース
２３  コンピュータネットワーク
２４  クライアントコンピュータ
２５  番号工程番号
２６  部品番号
２７  各種仕様情報
２８  ＦＭＥＡ情報
３１  データベースサーバ
３２  データベース
３３  コンピュータネットワーク
３４  クライアントコンピュータ
３５  番号工程番号
３６  部品番号
３７  各種仕様情報
３８  ＦＭＥＡ情報
３９  履歴情報
４１  情報管理サーバ
４２  製品製造情報格納部
４３  インターネット
４４  端末
４５  ワークフロー
【図１】
2004227182.tif 000003
【図２】
2004227182.tif 000004
【図３】
2004227182.tif 000005
【図４】
2004227182.tif 000006